(57)【要約】【課題】携帯端末に記憶されたプログラムを外部から起動させる。【解決手段】ユーザＵが、例えば、電子マネーのサービスを受けるべく、場所Ａを訪れ、電極２０１の上に乗る。これにより携帯端末１は、型名情報を要求する要求メッセージを受信する。携帯端末１は型名情報をサーバ２Ａに送信する。サーバ２Ａは、型名情報に対応する起動コマンドを携帯端末１に送信する。携帯端末１は、起動コマンドに対応するプログラムを起動する。これにより、ユーザＵは、場所Ａを訪れれば、電子マネーのサービスを受けることができる。【選択図】図１
2010161553.tif 000002
【特許請求の範囲】
【請求項１】
携帯端末に記憶されたプログラムを起動させるプログラム起動システムであって、
前記起動システムは、
携帯端末を使用しうる場所に設置される通信装置とサーバを備え、
前記携帯端末は、
複数の場所のそれぞれに対応するプログラムと、該携帯端末の種類を示す型名情報とを有し、該携帯端末に対する操作に応じた起動コマンドに対応するプログラムを当該複数のプログラムから選択して起動し、一方、前記通信装置から前記型名情報を要求する要求メッセージが送信された場合、前記型名情報を前記通信装置に送信し、該通信装置から送信される起動コマンドに対応するプログラムを前記複数のプログラムから選択して起動するようになっており、
前記サーバは、
携帯端末の種類を区別するための複数の型名情報のそれぞれに対し、該型名情報に対応する携帯端末に記憶された前記場所に対応するプログラムを起動するための起動コマンドが予め対応づけられた型名情報起動コマンドテーブルが記憶される型名情報起動コマンドテーブル記憶部と、
前記通信装置から送信される型名情報に対応する起動コマンドを前記型名情報起動コマンドテーブルから検索する起動コマンド検索部と、
前記要求メッセージと前記検索された起動コマンドとを前記通信装置に送信する通信部とを備え、
前記通信装置は、
前記携帯端末から送信される型名情報を前記サーバに転送し、前記サーバから送信される要求メッセージと起動コマンドとを前記携帯端末に転送する
ことを特徴とするプログラム起動システム。
【請求項２】
請求項１記載のプログラム起動システムとともに用いられる携帯端末であって、
複数の場所のそれぞれに対応するプログラムに該プログラムを起動するための起動コマンドが予め対応づけられたプログラム記憶部と、
起動コマンドが与えられた場合、該起動コマンドに対応するプログラムを前記プログラム記憶部から検索して起動するプログラム起動部と、
起動コマンドが与えられた場合、該起動コマンドを前記プログラム起動部に与える起動コマンド監視部と、
該携帯端末に対する操作に対応する起動コマンドを前記起動コマンド監視部に与える操作部と、
該携帯端末の種類を示す型名情報を記憶する型名情報記憶部と、
前記要求メッセージが送信された場合、前記型名情報記憶部から型名情報を読み出す型名情報読出部と、
前記通信装置から送信された起動コマンドを前記起動コマンド監視部に与えるとともに、前記型名情報記憶部から読み出された型名情報を前記通信装置に送信する通信部と
を備えることを特徴とする携帯端末。
【請求項３】
携帯端末に記憶されたプログラムを起動させるプログラム起動システムであって、
前記起動システムは、
携帯端末を使用しうる場所に設置される通信装置とサーバを備え、
前記携帯端末は、
複数の場所のそれぞれに対応するプログラムと、当該各プログラムを示すプログラムＩＤに対し該プログラムを起動するための起動コマンドが予め対応づけられたプログラムＩＤ起動コマンドテーブルとを有し、該携帯端末に対する操作に応じた起動コマンドに対応するプログラムを当該複数のプログラムから選択して起動し、一方、前記プログラムＩＤ起動コマンドテーブルを要求する要求メッセージが前記通信装置から送信された場合、前記プログラムＩＤ起動コマンドテーブルを前記通信装置に送信し、前記通信装置から送信される起動コマンドに対応するプログラムを前記複数のプログラムから選択して起動するようになっており、
前記サーバは、
前記通信装置から送信されるプログラムＩＤ起動コマンドテーブルに含まれるプログラムＩＤに基づいて前記場所に応じた起動コマンドを該プログラムＩＤ起動コマンドテーブルから検索する起動コマンド検索部と、
前記要求メッセージと前記検索された起動コマンドとを前記通信装置に送信する通信部とを備え、
前記通信装置は、
前記携帯端末から送信されるプログラムＩＤ起動コマンドテーブルを前記サーバに転送し、前記サーバから送信される要求メッセージと起動コマンドとを前記携帯端末に転送する
ことを特徴とするプログラム起動システム。
【請求項４】
請求項３記載のプログラム起動システムとともに用いられる携帯端末であって、
複数の場所のそれぞれに対応するプログラムに該プログラムを起動するための起動コマンドが予め対応づけられたプログラム記憶部と、
該各プログラムを示すプログラムＩＤに対し該プログラムを起動するための起動コマンドが予め対応づけられたプログラムＩＤ起動コマンドテーブルが記憶されるプログラムＩＤ起動コマンドテーブル記憶部と、
起動コマンドが与えられた場合、該起動コマンドに対応するプログラムを前記プログラム記憶部から検索して起動するプログラム起動部と、
起動コマンドが与えられた場合、該起動コマンドを前記プログラム起動部に与える起動コマンド監視部と、
該携帯端末に対する操作に対応する起動コマンドを前記起動コマンド監視部に与える操作部と、
前記要求メッセージが送信された場合、前記プログラムＩＤ起動コマンドテーブル記憶部から前記プログラムＩＤ起動コマンドテーブルを読み出すプログラムＩＤ起動コマンドテーブル読出部と、
前記通信装置から送信された起動コマンドを前記起動コマンド監視部に与えるとともに、前記プログラムＩＤ起動コマンドテーブル記憶部から読み出されたプログラムＩＤ起動コマンドテーブルを前記通信装置に送信する通信部と
を備えることを特徴とする携帯端末。
【発明の詳細な説明】
【技術分野】
【０００１】
本発明は、携帯端末に記憶されたプログラムを外部から起動させるプログラム起動システムに関し、詳しくは、携帯端末の場所および種類に応じたプログラムを起動させる技術に関する。
【背景技術】
【０００２】
旧来、携帯電話などの携帯端末は単機能であり、キー操作も簡単であったが、近年の携帯端末には、予め複数のプログラムを有し、その１つを選択して実行するものがある。
【０００３】
プログラムには、起動コマンドが割り当てられており、プログラムの数が多いと、起動コマンドの長さも長くなる。したがって、プログラムの選択にも、多くの操作が必要となる。
【０００４】
ところが、携帯端末のキーは小さく、また、独立したキーボードを備えず、多くの操作を行いにくい。そのため、複数のプログラムにより受けられる多様なサービスが、実際には、容易には受けられない。
【０００５】
この出願の発明に関連する先行技術文献情報としては次のものがある。  
【先行技術文献】
【特許文献】
【０００６】
【特許文献１】特開２００６−１９１３６１号公報
【特許文献２】特開２００８−０９０４０６号公報
【特許文献３】特開２００８−０９２０６３号公報
【特許文献４】特開２００８−０８２１１１号公報
【発明の概要】
【発明が解決しようとする課題】
【０００７】
本発明は、上記の課題に鑑みてなされたものであり、その目的とするところは、携帯端末に記憶されたプログラムを外部から起動させるプログラム起動システムを提供することにある。
【課題を解決するための手段】
【０００８】
上記の課題を解決するために、第１の本発明は、携帯端末に記憶されたプログラムを起動させるプログラム起動システムであって、前記起動システムは、携帯端末を使用しうる場所に設置される通信装置とサーバを備え、前記携帯端末は、複数の場所のそれぞれに対応するプログラムと、該携帯端末の種類を示す型名情報とを有し、該携帯端末に対する操作に応じた起動コマンドに対応するプログラムを当該複数のプログラムから選択して起動し、一方、前記通信装置から前記型名情報を要求する要求メッセージが送信された場合、前記型名情報を前記通信装置に送信し、該通信装置から送信される起動コマンドに対応するプログラムを前記複数のプログラムから選択して起動するようになっており、前記サーバは、携帯端末の種類を区別するための複数の型名情報のそれぞれに対し、該型名情報に対応する携帯端末に記憶された前記場所に対応するプログラムを起動するための起動コマンドが予め対応づけられた型名情報起動コマンドテーブルが記憶される型名情報起動コマンドテーブル記憶部と、前記通信装置から送信される型名情報に対応する起動コマンドを前記型名情報起動コマンドテーブルから検索する起動コマンド検索部と、前記要求メッセージと前記検索された起動コマンドとを前記通信装置に送信する通信部とを備え、前記通信装置は、前記携帯端末から送信される型名情報を前記サーバに転送し、前記サーバから送信される要求メッセージと起動コマンドとを前記携帯端末に転送することを特徴とする。
【０００９】
第２の本発明は、第１の本発明に係るプログラム起動システムとともに用いられる携帯端末であって、複数の場所のそれぞれに対応するプログラムに該プログラムを起動するための起動コマンドが予め対応づけられたプログラム記憶部と、起動コマンドが与えられた場合、該起動コマンドに対応するプログラムを前記プログラム記憶部から検索して起動するプログラム起動部と、起動コマンドが与えられた場合、該起動コマンドを前記プログラム起動部に与える起動コマンド監視部と、該携帯端末に対する操作に対応する起動コマンドを前記起動コマンド監視部に与える操作部と、該携帯端末の種類を示す型名情報を記憶する型名情報記憶部と、前記要求メッセージが送信された場合、前記型名情報記憶部から型名情報を読み出す型名情報読出部と、前記通信装置から送信された起動コマンドを前記起動コマンド監視部に与えるとともに、前記型名情報記憶部から読み出された型名情報を前記通信装置に送信する通信部とを備えることを特徴とする。
【００１０】
第３の本発明は、携帯端末に記憶されたプログラムを起動させるプログラム起動システムであって、前記起動システムは、携帯端末を使用しうる場所に設置される通信装置とサーバを備え、前記携帯端末は、複数の場所のそれぞれに対応するプログラムと、当該各プログラムを示すプログラムＩＤに対し該プログラムを起動するための起動コマンドが予め対応づけられたプログラムＩＤ起動コマンドテーブルとを有し、該携帯端末に対する操作に応じた起動コマンドに対応するプログラムを当該複数のプログラムから選択して起動し、一方、前記プログラムＩＤ起動コマンドテーブルを要求する要求メッセージが前記通信装置から送信された場合、前記プログラムＩＤ起動コマンドテーブルを前記通信装置に送信し、前記通信装置から送信される起動コマンドに対応するプログラムを前記複数のプログラムから選択して起動するようになっており、前記サーバは、前記通信装置から送信されるプログラムＩＤ起動コマンドテーブルに含まれるプログラムＩＤに基づいて前記場所に応じた起動コマンドを該プログラムＩＤ起動コマンドテーブルから検索する起動コマンド検索部と、前記要求メッセージと前記検索された起動コマンドとを前記通信装置に送信する通信部とを備え、前記通信装置は、前記携帯端末から送信されるプログラムＩＤ起動コマンドテーブルを前記サーバに転送し、前記サーバから送信される要求メッセージと起動コマンドとを前記携帯端末に転送することを特徴とする。
【００１１】
第４の本発明は、第３の本発明に係るプログラム起動システムとともに用いられる携帯端末であって、複数の場所のそれぞれに対応するプログラムに該プログラムを起動するための起動コマンドが予め対応づけられたプログラム記憶部と、該各プログラムを示すプログラムＩＤに対し該プログラムを起動するための起動コマンドが予め対応づけられたプログラムＩＤ起動コマンドテーブルが記憶されるプログラムＩＤ起動コマンドテーブル記憶部と、起動コマンドが与えられた場合、該起動コマンドに対応するプログラムを前記プログラム記憶部から検索して起動するプログラム起動部と、起動コマンドが与えられた場合、該起動コマンドを前記プログラム起動部に与える起動コマンド監視部と、該携帯端末に対する操作に対応する起動コマンドを前記起動コマンド監視部に与える操作部と、前記要求メッセージが送信された場合、前記プログラムＩＤ起動コマンドテーブル記憶部から前記プログラムＩＤ起動コマンドテーブルを読み出すプログラムＩＤ起動コマンドテーブル読出部と、前記通信装置から送信された起動コマンドを前記起動コマンド監視部に与えるとともに、前記プログラムＩＤ起動コマンドテーブル記憶部から読み出されたプログラムＩＤ起動コマンドテーブルを前記通信装置に送信する通信部とを備えることを特徴とする。
【発明の効果】
【００１２】
本発明に係るプログラム起動システムによれば、携帯端末に起動コマンドを送信することで、携帯端末の場所および種類に応じたプログラムを起動させることができる。
【図面の簡単な説明】
【００１３】
【図１】第１の実施の形態に係るプログラム起動システムの構成を示す図である。
【図２】図１に示すプログラム起動システムにおける携帯端末１の構成を示すブロック図である。
【図３】図１に示すプログラム起動システムにおけるサーバ２Ａの構成を示すブロック図である。
【図４】図１に示すプログラム起動システムにおいてユーザＵが場所Ａ、Ｂを訪れた際の動作を示すシーケンス図である。
【図５】第２の実施の形態に係るプログラム起動システムにおける携帯端末１の構成を示すブロック図である。
【図６】第２の実施の形態に係るプログラム起動システムにおけるサーバ２Ａの構成を示すブロック図である。
【図７】第２の実施の形態に係るプログラム起動システムにおいてユーザＵが場所Ａ、Ｂを訪れた際の動作を示すシーケンス図である。
【発明を実施するための形態】
【００１４】
以下、本発明の実施の形態を図面を参照して説明する。
【００１５】
［第１の実施の形態］
図１は、第１の実施の形態に係るプログラム起動システムの構成を示す図である。
【００１６】
携帯端末１は、ユーザＵに所持されるものである。
【００１７】
場所Ａは、ユーザＵが、例えば、電子マネーのサービスを受ける場所である。場所Ａの床には、電極２０１が設置されている。電極２０１は、リード線などにより通信装置２０２に接続されている。通信装置２０２は、通信回線を介して、サーバ２Ａに接続されている。
【００１８】
場所Ｂは、ユーザＵが、例えば、音楽のダウンロードのサービスを受ける場所である。場所Ｂには、通信装置３が設置されている。通信装置３は、携帯電話網５の基地局４と、携帯電話網５と、ゲートウェイ６を介して、サーバ２Ｂに接続するようになっている。    図２は、携帯端末１の構成を示すブロック図である。
【００１９】
携帯端末１は、複数の場所のそれぞれに対応するプログラムに該プログラムを起動するための起動コマンドが予め対応づけられたプログラム記憶部１０１と、起動コマンドが与えられた場合、起動コマンドに対応するプログラムをプログラム記憶部１０１から検索して起動するプログラム起動部１０３と、起動コマンドが与えられた場合、起動コマンドをプログラム起動部１０３に与える起動コマンド監視部１０４と、携帯端末に対する操作に対応する起動コマンドを起動コマンド監視部１０４に与える操作部１０５と、携帯端末の種類を示す型名情報を記憶する型名情報記憶部１０７と、型名情報を要求する要求メッセージが送信された場合、型名情報記憶部１０７から型名情報を読み出す型名情報読出部１０８と、型名情報を通信装置２０２に送信し、通信装置２０２から起動コマンドを受信する電界通信部１０９と、型名情報を通信装置３に送信し、通信装置２０２から起動コマンドを受信する無線通信部１１０と、通信装置２０２との通信に用いられる電極１１１と、通信装置３との通信に用いられるアンテナ１１２と、文字や画像を表示するための表示部１１３とを備える。操作部１０５は、例えば、テンキーやファンクションキーなどを含む。
【００２０】
図３は、サーバ２Ａの構成を示すブロック図である。
【００２１】
サーバ２Ａは、携帯端末の種類を区別するための複数の型名情報のそれぞれに対し、該型名情報に対応する携帯端末に記憶された場所Ａに対応するプログラムを起動するための起動コマンドが予め対応づけられた型名情報起動コマンドテーブルが記憶される型名情報起動コマンドテーブル記憶部２１と、通信装置２０２から送信される型名情報に対応する起動コマンドを型名情報起動コマンドテーブルから検索する起動コマンド検索部２２と、型名情報を受信し、要求メッセージと起動コマンドとを通信装置２０２に送信する通信部２３とを備える。通信部２３は、通信装置２０２に接続されている。
【００２２】
なお、サーバ２Ｂは、サーバ２Ａと同様の構成を備え、その通信部２３は、ゲートウェイ６に接続されている。また、その型名情報起動コマンドテーブル記憶部２１は、場所Ｂに対応するものとなっている。
【００２３】
図４（ａ）は、ユーザＵが場所Ａを訪れた際の動作を示すシーケンス図である。
【００２４】
サーバ２Ａの通信部２３は、場所Ａの通信装置２０２に要求メッセージを常に送信し、通信装置２０２は、要求メッセージに応じた信号を常に電極２０１に与える。ユーザＵが、例えば、電子マネーのサービスを受けるべく場所Ａを訪れ、電極２０１の上に乗ると、通信装置２０２からの信号に応じた電界がユーザＵと大地の間に印加される。この電界により、携帯端末１の電極１１１と大地の間に電界が生じ、電界通信部１０９は、この電界により要求メッセージを受信する（Ｓ１）。
【００２５】
要求メッセージが受信された場合、携帯端末１は、サーバ２Ａに型名情報を送信する（Ｓ２）。ここでは、まず、電界通信部１０９が要求メッセージ受信の旨を型名情報読出部１０８に通知し、これに応じて型名情報読出部１０８が、型名情報記憶部１０７から型名情報を読み出し、電界通信部１０９に与える。
【００２６】
電界通信部１０９は、型名情報に応じた信号を電極１１１に与える。電極１１１は、信号に応じた電界をユーザＵと大地の間に印加する。
【００２７】
この電界により、電極２０１と大地の間に電界が生じる。通信装置２０２は、この電界に応じた信号をサーバ２Ａに送信する。
【００２８】
サーバ２Ａでは、通信部２３が信号を受信し、信号から型名情報を取りだし、起動コマンド検索部２２に与える。起動コマンド検索部２２は、型名情報に対応する起動コマンドを型名情報起動コマンドテーブル記憶部２１から検索し（Ｓ３）、通信部２３に与える。通信部２３は、起動コマンドを携帯端末１に送信する（Ｓ５）。
【００２９】
ここでは、まず、通信部２３が、起動コマンドを通信装置２０２に送信する。通信装置２０２は、起動コマンドに応じた信号を電極２０１に与える。電極２０１は、信号に応じた電界をユーザＵと大地の間に印加する。
【００３０】
この電界により、携帯端末１の電極１１１と大地の間に電界が生じる。電界通信部１０９は、この電界に応じた信号から起動コマンドを取りだし、起動コマンド監視部１０４に与える。起動コマンド監視部１０４は、起動コマンドをプログラム起動部１０３に与える。
【００３１】
プログラム起動部１０３は、プログラム記憶部１０１から起動コマンドに対応するプログラム、つまり、電子マネーのサービスを受けるためのプログラムを検索し起動する（Ｓ７）。これにより、ユーザＵは、場所Ａを訪れれば、電子マネーのサービスを受けることができる。
【００３２】
一方、ユーザＵが携帯端末１のテンキーなどに操作を行った場合、操作部１０５は、操作に応じた起動コマンドを起動コマンド監視部１０４に与える。起動コマンド監視部１０４は、起動コマンドをプログラム起動部１０３に与える。
【００３３】
プログラム起動部１０３は、プログラム記憶部１０１から起動コマンドに対応するプログラム、つまり、電子マネーのサービスを受けるためのプログラムを検索し起動する。これにより、ユーザＵは、携帯端末１に対する操作によっても、電子マネーのサービスを受けることができる。
【００３４】
図４（ｂ）は、ユーザＵが場所Ｂを訪れた際の動作を示すシーケンス図である。
【００３５】
サーバ２Ｂの通信部２３は、場所Ｂの通信装置３に要求メッセージを常に送信し、通信装置３は、要求メッセージに応じた電波を常に放射する。ユーザＵが、例えば、音楽のダウンロードのサービスを受けるべく、場所Ｂを訪れると、アンテナ１１２が電波を捕捉し、無線通信部１１０が、電波により要求メッセージを受信する（Ｓ１１）。
【００３６】
要求メッセージが受信された場合、携帯端末１は、サーバ２Ｂに型名情報を送信する（Ｓ１２）。ここでは、まず、無線通信部１１０が要求メッセージ受信の旨を型名情報読出部１０８に通知し、これに応じて型名情報読出部１０８が、型名情報記憶部１０７から型名情報を読み出し、無線通信部１１０に与える。
【００３７】
無線通信部１１０は、型名情報に応じた信号をアンテナ１１２に与え、アンテナ１１２は、信号に応じた電波を放射する。
【００３８】
通信装置３は、この電波を受信し、受信で得た信号から型名情報を取りだし、型名情報を基地局４、携帯電話網５、ゲートウェイ６を介して、サーバ２Ｂに送信する。
【００３９】
サーバ２Ｂでは、通信部２３が型名情報を含んだ信号を受信し、信号から型名情報を取りだし、起動コマンド検索部２２に与える。起動コマンド検索部２２は、型名情報に対応する起動コマンドを型名情報起動コマンドテーブル記憶部２１から検索し（Ｓ１３）、通信部２３に与える。通信部２３は、起動コマンドをゲートウェイ６、携帯電話網５、基地局４、通信装置３を介して、携帯端末１に送信する（Ｓ１５）。
【００４０】
無線通信部１１０は、この信号から起動コマンドを取りだし、起動コマンド監視部１０４に与える。起動コマンド監視部１０４は、起動コマンドをプログラム起動部１０３に与える。
【００４１】
プログラム起動部１０３は、プログラム記憶部１０１から起動コマンドに対応するプログラム、つまり、音楽のダウンロードのサービスを受けるためのプログラムを検索し起動する（Ｓ１７）。これにより、ユーザＵは、場所Ｂを訪れれば、音楽のダウンロードのサービスを受けることができる。
【００４２】
一方、ユーザＵが携帯端末１のテンキーなどに操作を行った場合、操作部１０５は、操作に応じた起動コマンドを起動コマンド監視部１０４に与える。起動コマンド監視部１０４は、起動コマンドをプログラム起動部１０３に与える。
【００４３】
プログラム起動部１０３は、プログラム記憶部１０１から起動コマンドに対応するプログラム、つまり、音楽のダウンロードのサービスを受けるためのプログラムを検索し起動する。これにより、ユーザＵは、携帯端末１に対する操作によっても、音楽のダウンロードのサービスを受けることができる。
【００４４】
したがって、第１の実施の形態に係るプログラム起動システムによれば、各場所に対応するサーバ２Ａ、２Ｂが、携帯端末１から送信された型名情報に応じた起動コマンドを携帯端末１に送信することで、携帯端末１の場所および種類に応じたプログラムを起動させることができる。
【００４５】
［第２の実施の形態］
第２の実施の形態に係るプログラム起動システムについて説明する。
【００４６】
通信システムは、図１のプログラム起動システムの要素と同様な構成要素を備える。プログラム起動システムの構成図は、便宜上、図１を代用する。
【００４７】
図５は、携帯端末１の構成を示すブロック図である。
【００４８】
携帯端末１は、図２に示す要素と同様な構成要素を備える。便宜上、同様な構成要素には同一符号を付与し、重複説明を省略する。一方、異なる要素として、携帯端末１は、プログラムＩＤ起動コマンドテーブル記憶部１０２とプログラムＩＤ起動コマンドテーブル読出部１０２Ａを備える。プログラムＩＤ起動コマンドテーブル記憶部１０２には、プログラム記憶部１０１に記憶された各プログラムを示すプログラムＩＤに対し該プログラムを起動するための起動コマンドが予め対応づけられたプログラムＩＤ起動コマンドテーブルが記憶される。プログラムＩＤ起動コマンドテーブル読出部１０２Ａは、プログラムＩＤ起動コマンドテーブルを要求する要求メッセージを受信した場合、プログラムＩＤ起動コマンドテーブル記憶部１０２からプログラムＩＤ起動コマンドテーブルを読み出すものである。なお、型名情報記憶部１０７と型名情報読出部１０８とは不要であり、記載省略している。
【００４９】
第２の実施の形態では、第１の実施の形態で使用した型名情報と同じように、携帯端末１の種類を示すものとして、プログラムＩＤ起動コマンドテーブルを使用する。つまり、プログラム記憶部１０１のプログラムは、携帯端末１の種類に応じたものとなっており、これにより、プログラムＩＤ起動コマンドテーブル記憶部１０２のプログラムＩＤ起動コマンドテーブルも携帯端末１の種類に応じたものとなっているので、このプログラムＩＤ起動コマンドテーブルを使用するのである。
【００５０】
図６は、サーバ２Ａの構成を示すブロック図である。
【００５１】
サーバ２Ａは、通信装置２０２から送信されるプログラムＩＤ起動コマンドテーブルに含まれるプログラムＩＤに基づいて場所Ａに応じた起動コマンドを該プログラムＩＤ起動コマンドテーブルから検索する起動コマンド検索部２２Ａと、要求メッセージと起動コマンドとを通信装置２０２に送信する通信部２３とを備える。
【００５２】
なお、サーバ２Ｂは、サーバ２Ａと同様の構成を備え、その通信部２３は、ゲートウェイ６に接続されている。また、その起動コマンド検索部２２Ａは、場所Ｂに対応する起動コマンドを検索するようになっている。
【００５３】
図７（ａ）は、ユーザＵが場所Ａを訪れた際の動作を示すシーケンス図である。
【００５４】
サーバ２Ａの通信部２３は、場所Ａの通信装置２０２に要求メッセージを常に送信し、通信装置２０２は、要求メッセージに応じた信号を常に電極２０１に与える。ユーザＵが、例えば、電子マネーのサービスを受けるべく場所Ａを訪れ、電極２０１の上に乗ると、通信装置２０２からの信号に応じた電界がユーザＵと大地の間に印加される。この電界により、携帯端末１の電極１１１と大地の間に電界が生じ、電界通信部１０９は、この電界により要求メッセージを受信する（Ｓ２１）。
【００５５】
要求メッセージが受信された場合、携帯端末１は、サーバ２ＡにプログラムＩＤ起動コマンドテーブルを送信する（Ｓ２２）。ここでは、まず、電界通信部１０９が要求メッセージ受信の旨をプログラムＩＤ起動コマンドテーブル読出部１０２Ａに通知し、これに応じてプログラムＩＤ起動コマンドテーブル読出部１０２Ａが、プログラムＩＤ起動コマンドテーブル記憶部１０２からプログラムＩＤ起動コマンドテーブルを読み出し、電界通信部１０９に与える。
【００５６】
電界通信部１０９は、プログラムＩＤ起動コマンドテーブルに応じた信号を電極１１１に与える。電極１１１は、信号に応じた電界をユーザＵと大地の間に印加する。
【００５７】
この電界により、電極２０１と大地の間に電界が生じる。通信装置２０２は、この電界に応じた信号をサーバ２Ａに送信する。
【００５８】
サーバ２Ａでは、通信部２３が信号を受信し、信号からプログラムＩＤ起動コマンドテーブルを取りだし、起動コマンド検索部２２Ａに与える。起動コマンド検索部２２Ａは、プログラムＩＤ起動コマンドテーブルに含まれるプログラムＩＤに基づいて場所Ａに応じた起動コマンドを該プログラムＩＤ起動コマンドテーブルから検索し（Ｓ２３）、通信部２３に与える。
【００５９】
以下は、第１の実施の形態の場合と同様であるから、説明を省略する。
【００６０】
図７（ｂ）は、ユーザＵが場所Ｂを訪れた際の動作を示すシーケンス図である。
【００６１】
サーバ２Ｂの通信部２３は、場所Ｂの通信装置３に要求メッセージを常に送信し、通信装置３は、要求メッセージに応じた電波を常に放射する。ユーザＵが、例えば、音楽のダウンロードのサービスを受けるべく、場所Ｂを訪れると、アンテナ１１２が電波を捕捉し、無線通信部１１０が、電波により要求メッセージを受信する（Ｓ３１）。
【００６２】
要求メッセージが受信された場合、携帯端末１は、サーバ２ＢにプログラムＩＤ起動コマンドテーブルを送信する（Ｓ３２）。ここでは、まず、無線通信部１１０が要求メッセージ受信の旨をプログラムＩＤ起動コマンドテーブル読出部１０２Ａに通知し、これに応じてプログラムＩＤ起動コマンドテーブル読出部１０２Ａが、プログラムＩＤ起動コマンドテーブル記憶部１０２からプログラムＩＤ起動コマンドテーブルを読み出し、無線通信部１１０に与える。
【００６３】
無線通信部１１０は、プログラムＩＤ起動コマンドテーブルに応じた信号をアンテナ１１２に与え、アンテナ１１２は、信号に応じた電波を放射する。
【００６４】
通信装置３は、この電波を受信し、受信で得た信号からプログラムＩＤ起動コマンドテーブルを取りだし、プログラムＩＤ起動コマンドテーブルを基地局４、携帯電話網５、ゲートウェイ６を介して、サーバ２Ｂに送信する。
【００６５】
サーバ２Ｂでは、通信部２３がプログラムＩＤ起動コマンドテーブルを含んだ信号を受信し、信号からプログラムＩＤ起動コマンドテーブルを取りだし、起動コマンド検索部２２Ａに与える。起動コマンド検索部２２Ａは、プログラムＩＤ起動コマンドテーブルに含まれるプログラムＩＤに基づいて場所Ｂに応じた起動コマンドを該プログラムＩＤ起動コマンドテーブルから検索し（Ｓ３３）、通信部２３に与える。
【００６６】
以下は、第１の実施の形態の場合と同様であるから、説明を省略する。
【００６７】
したがって、第２の実施の形態に係るプログラム起動システムによれば、各場所に対応するサーバ２Ａ、２Ｂが、携帯端末１から送信されたプログラムＩＤ起動コマンドテーブルに含まれるプログラムＩＤに基づいて場所に応じた起動コマンドを検索し携帯端末１に送信することで、携帯端末１の場所および種類に応じたプログラムを起動させることができる。
【符号の説明】
【００６８】
１…携帯端末
２Ａ、２Ｂ…サーバ
３、２０２…通信装置
４…基地局
５…携帯電話網
６…ゲートウェイ
２１…型名情報起動コマンドテーブル記憶部
２２、２２Ａ…起動コマンド検索部
２３…通信部
１０１…プログラム記憶部
１０２…プログラムＩＤ起動コマンドテーブル記憶部
１０２Ａ…プログラムＩＤ起動コマンドテーブル読出部
１０３…プログラム起動部
１０４…起動コマンド監視部
１０５…操作部
１０７…型名情報記憶部
１０８…型名情報読出部
１０９…電界通信部
１１０…無線通信部
１１１、２０１…電極
１１２…アンテナ
１１３…表示部
Ｕ…ユーザ
【図１】
2010161553.tif 000003
【図２】
2010161553.tif 000004
【図３】
2010161553.tif 000005
【図４】
2010161553.tif 000006
【図５】
2010161553.tif 000007
【図６】
2010161553.tif 000008
【図７】
2010161553.tif 000009